(57)【特許請求の範囲】
【請求項１】
少なくとも開口部側外周面は、外方に突出する突出部が形成されていない面を有する容器本体と該容器本体を閉塞する樹脂製の蓋部材とからなる蓋付き容器であって、
該蓋部材が天面壁と、該天面壁の周囲から下方に延びるスカート壁とからなり、
前記容器本体の外周面に、周方向へ間隔を開けてかつ前記蓋部材の閉蓋方向側へ向かって下方に傾斜して延びる複数のネジ溝を等間隔に形成し、該ネジ溝の深さが該ネジ溝の始端部よりも終端部が深くなるように形成し、
前記蓋部材のスカート壁の内周面には、前記ネジ溝と係合する突起を等間隔に形成し、閉蓋状態で前記複数の突起が前記複数のネジ溝に係合するとともに、前記内周面には前記複数の突起間の少なくとも１つの突起間に前記スカート壁の下端から少なくとも前記突起の上端に至る薄肉部が形成され、該薄肉部が前記突起の周方向の両端部に隣接して形成するようにしたことを特徴とする蓋付き容器。
【請求項２】
前記複数の突起の各先端部を結ぶ仮想円の径が前記複数のネジ溝の始端部における外周円の径よりも小さいことを特徴とする請求項１に記載の蓋付き容器。
【発明の詳細な説明】
【技術分野】
【０００１】
本発明は、少なくとも開口部側外周面は、外方に突出する突出部が形成されていない面を有する容器本体と該容器本体をネジで閉塞する蓋部材とからなる蓋付き容器に関する。
【背景技術】
【０００２】
下記の特許文献１によると、容器本体には内容物を収容する円筒形状の胴部と該胴部の上部に、胴部よりもやや径が縮径された開口部が設けられている。開口部（口頸部）の外周部には、間隔を空けて多数（４条）の同形状のネジ山を形成している。このようなネジ山は、開口部の外周面から面上（開口部の半径方向外側）に突出し、ネジ山の一端側から斜め上方に傾斜させて形成し、ネジ山の端部では隣り合うネジ山が上下方向に重なり合うように形成されている。
一方、容器本体を閉塞する蓋部材は、天面壁から下方へ連なるスカート壁が形成され、スカート壁の内周面側の下縁には、上述のネジ山に対応させた数の爪片を蓋部材の半径方向内側に突出させ、該爪片をネジ山に螺着させて容器本体を蓋部材で閉栓させている。
【特許文献１】実公平７−９７９８号公報
【発明の開示】
【発明が解決しようとする課題】
【０００３】
このような蓋付き容器の容器本体の開口部には、閉栓時に蓋部材を係止させるために、該開口部の周囲に容器本体の半径方向外側に突出するビード状のネジ山部を形成している。しかしながら、容器本体を用いて飲料を飲む際には、円筒形状の胴部と該胴部よりもやや径が縮径された開口部、若しくは開口部の外周面にあるネジ山部がユーザの唇に当たるため、複数形状の凹凸によって、舌触りも悪く官能的に飲みにくいことがある。
本発明はこのような事情に鑑みてなされたものであって、ユーザが飲料を飲むときに口当たりのよい違和感のない容器本体を備えた蓋付き容器を提供することを目的とする。
【課題を解決するための手段】
【０００４】
本発明の蓋付き容器は、上記目的を達成するために、少なくとも開口部側外周面は、外方に突出する突出部が形成されていない面を有する容器本体と該容器本体を閉塞する樹脂製の蓋部材とからなる蓋付き容器であって、該蓋部材が天面壁と、該天面壁の周囲から下方に延びるスカート壁とからなり、前記容器本体の外周面に、周方向へ間隔を開けてかつ前記蓋部材の閉蓋方向側へ向かって下方に傾斜して延びる複数のネジ溝を等間隔に形成し、該ネジ溝の深さが該ネジ溝の始端部よりも終端部が深くなるように形成し、前記蓋部材のスカート壁の内周面には、前記ネジ溝と係合する突起を等間隔に形成し、閉蓋状態で前記複数の突起が前記複数のネジ溝に係合するとともに、前記内周面には前記複数の突起間の少なくとも１つの突起間に前記スカート壁の下端から少なくとも前記突起の上端に至る薄肉部が形成され、該薄肉部が前記突起の周方向の両端部に隣接して形成するようにした。
上記蓋付き容器は、前記複数の突起の各先端部を結ぶ仮想円の径が前記複数の溝の始端部における外周円の径よりも小さくすることができる。
【発明の効果】
【０００５】
本発明の蓋付き容器の少なくとも開口部側外周面は、外方に突出する突出部が形成されていない面を有する容器本体と該容器本体を閉塞する樹脂製の蓋部材とからなる蓋付き容器であって、該蓋部材が天面壁と、該天面壁の周囲から下方に延びるスカート壁とからなり、前記容器本体の外周面に、周方向へ間隔を開けてかつ前記蓋部材の閉蓋方向側へ向かって下方に傾斜して延びる複数のネジ溝を等間隔に形成し、該ネジ溝の深さが該ネジ溝の始端部よりも終端部が深くなるように形成し、前記蓋部材のスカート壁の内周面には、前記溝と係合する同数の突起を等間隔に形成し、閉蓋状態で前記複数の突起が前記複数のネジ溝に係合するようにしたので、ユーザが官能的に飲みやすく、口当たりが良い容器となる。意匠性に優れた容器が形成できるので、使用後はそのまま容器本体をコップとして使用することもできる。
また、上記蓋付き容器の前記蓋部材のスカート壁の内周面には、複数の突起間の少なくとも１つの突起間に前記スカート壁の下端から少なくとも前記突起の上端に至る薄肉部が形成されているので、蓋部材のスカート壁を径方向外側に拡げ易くなる。
上記蓋付き容器は、前記複数の突起の各先端部を結ぶ仮想円の径が前記複数のネジ溝の始端部を結ぶ外周円の径よりも小さくした。蓋部材が樹脂製で弾性を有するので、このように外周縁よりも突起の仮想円の径を小さくすることができ、これによって突起がネジ溝から抜けることなく確実に係合できる。
上記蓋付き容器は、前記薄肉部が前記突起の周方向の両端部に隣接して形成するようにしたので、容器本体のスカート壁を効果的に拡げることができる。
【発明を実施するための最良の形態】
【０００６】
以下、本発明の実施形態の蓋付き容器について、図面を参照しながら説明する。
図１は、本発明による蓋付き容器の断面図（下側）と蓋部材の部分破断断面図（上側）であり、図２は蓋付き容器の図１とは異なる方向から見た断面図である。
本発明に係る蓋付き容器１は、容器本体２と合成樹脂製の蓋部材３とを備えている。容器本体２は、本実施形態ではガラス製容器であるが合成樹脂で成形したものであってもよい。
【０００７】
図３及び図４に示すように、容器本体２は、容器本体２の外周面６が開口部５側から底部７に向かって半径方向内側に径が漸次減少している。
ただし、このように径が漸次減少することは必須要件ではなく、容器本体２は少なくとも開口部５における外周面６に、外方に突出する突出部が形成されていない面を有することが必要である。したがって、開口部５以外の部分は、凹凸があってもよく、直線形状であってもよく、容器本体の下側の形状を、円筒形、球形、四角形等の形状にしてもよい。さらに、開口部５の以外の断面形状の稜線は、直線形状であってもよく、弧を描いた流線形状であってもよい。
【０００８】
容器本体２の開口部５は、上縁部にあたる環状の水平部５ａと該水平部５ａの外側周囲に位置する湾曲部５ｂとが形成され、開口部５の外周面側には、湾曲部５ｂの下側に該湾曲部５ｂと僅かな間隔を空けて、複数のネジ溝１０を形成している。
図６は、ネジ溝１０を形成した部分における外周面６を平面にした状態の展開図である。複数のネジ溝１０は全てが同一形状であり、本実施形態では８本のネジ溝１０が同一間隔を空けて配置されている。各ネジ溝１０は、全体が周方向へ長い長方形状であって、図面右側の始端部１０ａがやや上下方向へ高く、図面左側の終端部１０ｂが低くなるように、傾斜させている。具体的には、容器本体２に被せられる蓋部材３の閉蓋方向（図６中の矢印ａ方向）側へ向かって下方に傾斜させている。そして、各ネジ溝１０は、周方向へ４５度間隔で水平方向へ平行移動させるようにして形成されている。
【０００９】
図７に示すように、各ネジ溝１０は、該ネジ溝１０の深さが蓋部材３の閉蓋方向におけるネジ溝１０の終端部１０ｂよりも始端部１０ａが漸次浅くなるように形成されている。詳しくは、ネジ溝１０の長手方向の終端部１０ｂ側から中央部にかけて緩やかに浅くなり、始端部１０ａに向かうにつれて徐々に浅くなり、始端部１０ａのネジ溝１０が途切れた位置で外周面６の基準面に連続する。図６に示すように、各ネジ溝１０の下部には、傾斜面を有するガイド部１０ｄが形成され、このガイド部１０ｄの幅は始端部１０ａで狭くなる一方、溝部１０ｅの幅は始端部１０ａ側で広く後端１０ｂ側で狭くなるように形成されている。
【００１０】
次に、このようなビード状の突部がない開口部５に、容器本体２を閉塞する蓋部材３について説明する。
図１及び図９を参照にして、蓋部材３は、円板形状の天面壁１１とこの天面壁１１の周縁部から実質的に垂下する円筒状のスカート壁１２とを備えている。スカート壁１２の内径は、容器本体２の開口部５の外径とほぼ同じ大きさを有している。蓋部材３にはスカート壁１２の内側に、該スカート壁１２に対して間隔を空けて配設した環状リブ１４が、天面壁１１の内面から面上に立設させて形成されている。
【００１１】
環状リブ１４の内周面１４ａは、本実施形態では天面壁１１から垂下（直角方向）させ、外周面は、下向きに開口部５の内側へ向かう湾曲面を形成し、容器本体２の開口部５内周面に当接するように形成している。
環状リブ１４の外周面は容器本体２の開口部５の内周面に当接するように形成し、スカート壁１２と環状リブ１４の間は、開口部５の厚さにほぼ対応するように形成されている。また、スカート壁１２と天面壁１１との内面側の境界部には、図８に示すようにビード１５を形成し、ビード１５は開口部５の湾曲部５ｂに密着している。
【００１２】
スカート壁１２の内周面には、複数の突起１７をスカート壁１２から半径方向内側へ突出するように形成されている。本実施形態では、上述したネジ溝１０の本数に対応させた数だけ形成し、スカート壁１２の周方向へ等間隔（４５度間隔）で配置されているが、同数ではなく、ネジ溝１０の位置と対応した位置にあればネジ溝１０より少ない数でもかまわない。各突起１７が形成されている高さは、スカート壁１２の下端から同一高さに形成されている。突起１７の形状は、ネジ溝１０に収容される形状に形成され、突起１７の突出高さは、ネジ溝１０の終端部１０ｂ側の深さと、ほぼ同じ長さ、或いは小さく形成している。
図９に示すように、複数の突起の各先端部を結ぶ仮想円の径Ｄ１は複数のネジ溝１０の始端部１０ａを結ぶ外周面６における位置の外周円の径Ｄ２よりも小さく形成されている。
【００１３】
各突起１７のスカート壁１２の周方向の両端部には、薄肉部１８を形成している。薄肉部１８はスカート壁１２の内周面側に上下方向に延びるようにして、スカート壁１２の下端から突起１７の上端部を越える高さまで形成されている。薄肉部１８は、スカート壁１２の径方向に弾性を与えるために形成されたものであり、突起１７の両端部に形成することが好ましいが、突起１７の一側面に形成してもよく、突起１７から離れた突起１７，１７間に形成してもよい。したがって、スカート壁１２に径方向の弾性が付与されるのであれば、薄肉部の位置、厚さ、幅、長さを適宜調整することができる。
【００１４】
このような構成により、容器本体２に蓋部材３を被せて閉栓するときは、先ず、蓋部材３を開口部５に押し込む。蓋部材３に形成した突起１７の仮想円の直径Ｄ１は、図９に示すように、容器本体２の外周面６の径Ｄ２よりも小さい。したがって、突起１７は初めに、図８に示す湾曲部５ｂに当接する。そして、蓋部材３へ容器本体２側への押圧力を負荷し、突起１７が湾曲部５ｂを乗り越えるようにする。この際、蓋部材３に形成した薄肉部１８を伸ばすことによって、スカート壁１２を径方向外側に容易に拡げることができる。すると、突起１７が湾曲部５ｂ及び開口部５の外側面５ｃを乗り越えて、ネジ溝１０に入り込む。
【００１５】
突起１７の位置がネジ溝１０，１０間に位置するような場合、若しくは突起１７の位置がネジ溝１０の終端部１０ｂの近くにあるような場合は、蓋部材３を容器本体２に押し込んでから、蓋部材３を閉栓方向に回転させれば、突起１７がネジ溝１０に入り込む。
このように突起１７がネジ溝１０に入り込むことによって、スカート壁１２は伸びた弾性変形状態からもとの状態（形状）に戻る。
すると、図８に示すように、容器本体２の水平部５ａとネジ溝１０の上側溝面までの長さが徐々に大きくなり、ネジ溝１０の終端部１０ｂの位置で蓋部材３の天面壁１１と突起１７との間に圧接される。これによって蓋部材３によって容器本体２が閉栓され、同時に、ビート１５と湾曲部５ｂとが圧接するとともに、環状リブ１４の外周面と開口部５内周面とが当接する。
【００１６】
蓋部材３を開栓するときは、蓋部材３を開栓方向に回すことによって、容器本体２を開けることができる。すなわち、蓋部材３の突起１７がネジ溝１０に案内されるが、ネジ溝１０は、蓋部材３の開栓方向に漸次、始端部１０ａ側が浅くなっている。上述したように、蓋部材３に形成した突起１７の仮想円の直径Ｄ１は、図９に示すように、容器本体２の外周面６の径Ｄ２よりも小さいので、蓋部材３のスカート壁１２は徐々に、薄肉部１８の作用によって、径方向外側に開く。突起１７がネジ溝１０の始端部１０ａを越えたところで、突起１７とネジ溝１０との係合状態が解除され、蓋部材３を容器本体２の上方側へ引き抜くことによって、蓋部材３を外すことができる。すなわち、凹凸部が容器本体２の外周面６に形成されていないので、また、ガラスなどの容器が通常では摩擦が少ないので、容易に外すことができる。
【００１７】
このように本実施形態では、容器本体１の開口部５にビード状の突部のない容器本体２であっても、蓋部材３をその開口部５に装着することができるようになった。容器本体の外周面に突部が形成されているよりも、凹部が形成されている方が凹凸部による触感がないように感じるので、突部のない滑らかな形状をした開口部５にユーザが唇を当てて飲料を飲むことができ、ユーザが官能的に飲みやすく、口当たりが良い、しかも、開栓操作の良い容器となる。
家庭で使用されている市販のコップのように、例えば形状を流線形状にして意匠性に優れた容器が形成できるので、使用後はそのままコップとしても利用することもできる。
【００１８】
以上、本発明を実施形態に基づいて添付図面を参照しながら詳細に説明したが、本発明は上記実施形態に限定されるものではなく、本発明の範囲を逸脱することなく、更に他の変形あるいは修正が可能である。
例えば、上記実施形態では突起１７の数をネジ溝１０の本数と同じように８個所に形成したが、突起１７の数を４個所に配置し、ネジ溝１０の１本置きに、突起１７を係合させ、突起１７の数をネジ溝１０の本数と一致させなくともよい。
【図面の簡単な説明】
【００１９】
【図１】本発明の実施の形態による蓋付き容器の断面図（下側）と蓋部材の部分破断断面図（上側）である。
【図２】図１の蓋付き容器とは異なる方向から見た蓋付き容器の断面図である。
【図３】図１に示す蓋付き容器の容器本体の斜視図である。
【図４】図１に示す蓋付き容器の容器本体の正面図である。
【図５】図１に示す蓋付き容器の容器本体の断面図である。
【図６】図１に示す蓋付き容器の容器本体の開口部を周方向に展開した展開図である。
【図７】図１に示す蓋付き容器の蓋部材であり、Ａは蓋部材の部分破断断面図、Ｂは図４のＸ−Ｘ線方向における断面図である。
【図８】図１の蓋付き容器の閉栓時における容器本体と蓋部材との係合状態を示す拡大断面図である。
【図９】図１のＹ−Ｙ線方向における断面図である。
【符号の説明】
【００２０】
１  蓋付き容器
２  容器本体
３  蓋部材
５  開口部
７  底部
１０  ネジ溝
１１  天面壁
１２  スカート壁
１７  突起
１８  薄肉部
【図１】
0005000400.tif 000002
【図２】
0005000400.tif 000003
【図３】
0005000400.tif 000004
【図４】
0005000400.tif 000005
【図５】
0005000400.tif 000006
【図６】
0005000400.tif 000007
【図７】
0005000400.tif 000008
【図８】
0005000400.tif 000009
【図９】
0005000400.tif 000010